(57)【特許請求の範囲】
【請求項１】
クライアント側からダウンロード要求のあったホームページを前記クライアント側へ供給するサーバ装置であって、
前記クライアント側からのダウンロード要求時に所定の条件下でのトリガを読み取るトリガ読取り手段と、
前記トリガ読取り手段が読み取った前記トリガをもとに、通常形態の基本ホームページ上のランダムな位置に配置する特殊クリックポイントの配置を規定する特殊クリックポイント配置ファイル生成手段と、
前記特殊クリックポイント配置ファイル生成手段により配置が規定された特殊クリックポイントを、通常形態の基本ホームページの画面上に表示する時、通常形態の基本ホームページに対し特殊クリックポイントが上面に重なるよう表示する制御情報を生成する特殊クリックポイント埋込み手段と、
前記特殊クリックポイント埋込み手段の出力情報を前記クライアント側へ供給するホームページ情報供給手段とを備え、
クライアント側において、特殊クリックポイントを通常形態の基本ホームページ画面上に表示する時に、通常形態の基本ホームページ画面上のランダムな位置に特殊クリックポイントを重ねて表示し、前記クライアント側からのダウンロード要求のたびに特殊クリックポイントの配置が異なることによりホームページの構成内容が異なるようにしたことを特徴とするサーバ装置。
【請求項２】
前記特殊クリックポイントは、存在が視認できずクリック後の動作も不明確なクリックポイントであるブラインドクリックポイントと、存在は視認できるがクリック後の動作が不明確なクリックポイントであるユニーククリックポイントとを含むことを特徴とする請求項１記載のサーバ装置。
【請求項３】
前記特殊クリックポイントは、存在は視認できクリック後の動作も明確であるが、付帯するゲームエンジンの働きにより動作後の結果が一定でないクリックポイントであるインタレストクリックポイントと、存在は視認できクリック後の動作も明確であるが所定の条件下でのみ随所に位置が変わって配置されるクリックポイントであるエキストラクリックポイントとを含むことを特徴とする請求項１記載のサーバ装置。
【発明の詳細な説明】
【０００１】
【発明の属する技術分野】
この発明は、例えばインターネットなどを利用したコンピュータシステムにおいて、ホームページ情報を取得しようとするクライアント側からのダウンロード要求に応答し、前記ホームページ情報を前記クライアント側へ供給するホームページ情報供給方法・サーバ装置およびクライアント装置に関するものである。
【０００２】
【従来の技術】
従来、インターネットホームページを媒介としてバナー広告を含む各種情報が提供されている。クライアント側は、前記各種情報を取得しようとするときには、インターネットへ接続したパーソナルコンピュータなどの端末を操作して前記インターネットホームページのサーバへアクセスし、前記インターネットホームページを提供するサーバに対しそのインターネットホームページ情報のダウンロードを要求し、クライアント側で操作する端末へ前記インターネットホームページ情報をダウンロードする。
【０００３】
一方、前記インターネットホームページ情報を提供する側では、前記インターネットホームページ情報を更新するなどして、クライアント側に飽きられないようにして前記クライアント側のいっそうの満足度を得るようにしているが、クライアント側からアクセスされるホームページのインターネットホームページ情報の内容は、そのホームページの運営者により更新されない限り変わることはなく、そのホームページを訪れる全てのクライアントに対し常に同じ内容のインターネットホームページ情報を提供することになる。この結果、前記ホームページを訪れようとするクライアントは、インターネットホームページ情報の内容が更新された時期を見計らって再訪するのが一般的である。
【０００４】
【発明が解決しようとする課題】
従来のインターネットホームページ情報の提供は以上のように行われているため、来訪するクライアントの数や来訪の頻度を増やすためには、ホームページの運営者はそのインターネットホームページ情報を出来る限り頻繁に更新し、ホームページについて常に新鮮味を保つ必要があるが、更新しようとするインターネットホームページ情報の量に制約があったり、更新するための作業に手間を要するなど、短い時間間隔でインターネットホームページ情報を頻繁に更新するのは容易でないという課題があった。
【０００５】
この発明は、上記のような課題を解決するためになされたものであり、ホームページへアクセスするクライアントに対し常に新鮮な感覚を与え、興味を喚起できるホームページ情報供給方法・サーバ装置およびクライアント装置を得ることを目的とする。
【０００６】
【課題を解決するための手段】
この発明に係るサーバ装置は、クライアント側からダウンロード要求のあったホームページを前記クライアント側へ供給するサーバ装置であって、前記クライアント側からのダウンロード要求時に所定の条件下でのトリガを読み取るトリガ読取り手段と、前記トリガ読取り手段が読み取った前記トリガをもとに、通常形態の基本ホームページ上のランダムな位置に配置する特殊クリックポイントの配置を規定する特殊クリックポイント配置ファイル生成手段と、  前記特殊クリックポイント配置ファイル生成手段により配置が規定された特殊クリックポイントを、通常形態の基本ホームページの画面上に表示する時、通常形態の基本ホームページに対し特殊クリックポイントが上面に重なるよう表示する制御情報を生成する特殊クリックポイント埋込み手段と、前記特殊クリックポイント埋込み手段の出力情報を前記クライアント側へ供給するホームページ情報供給手段とを備え、クライアント側において、特殊クリックポイントを通常形態の基本ホームページ画面上に表示する時に、通常形態の基本ホームページ画面上のランダムな位置に特殊クリックポイントを重ねて表示し、前記クライアント側からのダウンロード要求のたびに特殊クリックポイントの配置が異なることによりホームページの構成内容が異なるようにしたものである。
【０００９】
【発明の実施の形態】
以下、本発明の実施の一形態について説明する。
先ず、以下の説明における用語の定義について説明する。「情報提供者」とはホームページ提供者のことであり、「クライアント」とはインターネットを介してホームページをダウンロードする情報受給者であり、「クリックポイント」とはホームページ上の例えばマウスカーソルが矢印から指マークへ変わるクリックの可能な位置またはエリアである。また、「クリックポイント」は通常クリックポイントと特殊クリックポイントＰＣＰに分けられ、前記特殊クリックポイントＰＣＰはさらにブラインドクリックポイントＢＣＰとユニーククリックポイントＵＣＰとインタレストクリックポイントＩＣＰとエキストラクリックポイントＥＣＰに分類される。
【００１０】
「ブラインドクリックポイントＢＣＰ」とは存在が視認できずクリック後の動作も不明確なクリックポイントであり、また「ユニーククリックポイントＵＣＰ」とは存在は視認できるがクリック後の動作が不明確なクリックポイントであり、また「インタレストクリックポイントＩＣＰ」とは存在は視認できクリック後の動作も明確であるが、付帯するゲームエンジンの働きにより動作後の結果が一定でないクリックポイントであり、また「エキストラクリックポイントＥＣＰ」とは存在は視認でき、クリック後の動作も明確であるが「条件下」のタイミングでのみ随所に位置が変わって埋め込まれるクリックポイントをいう。
【００１１】
また、「通常起動ホームページ」とは、通常のホームページファイルがダウンロードされる。そして、この通常のホームページファイルでは一般的なホームページと同様なクリックポイントをクリックしてプログラムを選択する。クリックポイントの位置がダウンロード要求のたびに変化することはない。
【００１２】
また、「条件下起動ホームページ」とは、条件下でダウンロードされる特殊クリックポイントＰＣＰおよびリンク先のファイルが埋め込まれたホームページであり、特殊クリックポイントＰＣＰ埋め込みファイルはアクセスカウンタのカウンタ値すなわちアクセス回数積算値、アクセスのあった日付け、時刻を含むタイミング情報の例えば末尾数をもとに決定されたトリガにより作成される。
また、前記タイミング情報によるトリガの決定に加えて任意のタイミングにおける手動による方法で決定されたトリガによっても作成される。
【００１３】
実施の形態１．
図１は、この実施の形態１のホームページ情報供給方法が適用されるネットワーク構成図であり、図において１はインターネット、２はインターネット１へ接続したクライアント側で操作する端末、３はルータなどの経路制御装置、４は経路制御装置３を介してインターネットへ接続したサーバである。このサーバ４は、前記クライアント側の端末２からアクセスされるホームページ情報が格納されており、このホームページ情報供給方法を実現するための主処理部制御手段を備えている。
【００１４】
図２は、前記サーバ４の構成を示す機能ブロック図であり、図において１１は主処理部制御手段（ホームページ情報供給手段）、１２は入出力制御手段（ホームページ情報供給手段）、１３は特殊クリックポイントＰＣＰ（存在が視認できずクリック後の動作も不明確なブラインドクリックポイントＢＣＰと、存在は視認できるがクリック後の動作は不明確なユニーククリックポイントＵＣＰと、存在は視認できクリック後の動作も明確であるが、付帯するゲームエンジンの働きにより動作後の結果が一定でないインタレストクリックポイントＩＣＰと、存在は視認でき、クリック後の動作も明確であるが、「条件下」のタイミングでのみ随所に位置が変わって埋め込まれるエキストラクリックポイントＥＣＰを含む）のリンク先であるＰＣＰリンク先ファイル、１４は特殊クリックポイントＰＣＰの配置パターンについてのＰＣＰ配置パターンファイル、１５はそのホームページに対する現在までのアクセス回数であるアクセス回数積算値、アクセスがあった日付け、時刻などを検出し出力するアクセスカウンタである。２１は通常のホームページについて制御を行う通常ホームページ（ＨＰ）制御手段、２２はそのホームページへアクセスがあったときのそのアクセスカウンタ１５が出力するアクセス回数積算値、日付け、時刻などのタイミング情報の末尾数を抽出する末尾数抽出機能、２３は末尾数抽出機能２２の抽出した前記アクセス回数積算値、前記日付け、時刻などの末尾数をトリガとして読み取るトリガ読取り機能（トリガ読取り手段）、２５は特殊クリックポイントＰＣＰをホームページへ埋め込むためのＰＣＰ埋込み機能（ＰＣＰ埋込み手段）、２６は前記トリガをもとにＰＣＰ配置パターンファイル１４を選択するための計算ロジック、２７は前記トリガをもとにホームページ上へ特殊クリックポイントＰＣＰをランダムに配置するためのランダム配置ロジック、３２は前記通常のホームページファイル、３３は前記ゲームエンジンである。
【００１５】
次に、動作について説明する。
このホームページ情報供給方法は、クライアント側が前記サーバ４をアクセスし希望するホームページ情報をダウンロードする要求を行うと、そのダウンロードの要求ごとに異なった情報内容のホームページファイルを構成して応答するようにしたものである。
また、前記ダウンロードの要求が行われるたびに通常ホームページへ特殊クリックポイントＰＣＰをその配置を変えて埋め込み、ホームページのクリックポイントを含む構成内容が前記ダウンロードの要求のたびに異なるようにして、前記ダウンロードを要求するクライアント側に意外性や新鮮味を提供するようにしたものである。
このため、トリガ読取り機能２３が読み取った前記トリガをもとに、前記ダウンロード要求のたびに特殊クリックポイントＰＣＰの配置位置を変えたり、また、リンク先のファイルを変え、ダウンロード要求のたびにホームページ情報の異なったホームページファイルを構成し、前記ダウンロード要求に応答する。
また、前記トリガは任意のタイミングにおいて手動で決定され前記ダウンロード要求に対し応答される場合もある。
なお、クライアント側からのダウンロード要求に対し、通常ホームページと変わらないホームページファイルで応答する場合もある。
【００１６】
次に、この実施の形態のホームページ情報供給方法を実現するサーバ４の主処理部制御手段１１の動作について説明する。
図３および図５は、この実施の形態のホームページ情報供給方法を実現する際のサーバ４の動作およびクライアント側の端末２の画面遷移を含む動作を説明するためのフローチャートである。このフローチャートによれば、最初サーバ４ではホームページのダウンロード要求待ちを行なっている（ステップＳＴ１）。前記ホームページのＵＲＬが指定されそのダウンロード要求があると、当該ダウンロード要求が「特殊クリックポイントＰＣＰを埋め込んだホームページのダウンロード要求」であるか、または「ダウンロード後にクライアント側で特殊クリックポイントＰＣＰをホームページへ埋め込む形態のダウンロード要求」であるかの判定を行う（ステップＳＴ２）。この判定は、例えば、アクセスカウンタ１５の出力するアクセス回数積算値、日付け、時刻の末尾数の下一桁の数字が特定の数字であるときには「特殊クリックポイントＰＣＰを埋め込んだホームページのダウンロード」、前記特定の数字以外の数字であるときには「ダウンロード後にクライアント側で特殊クリックポイントＰＣＰをホームページへ埋め込む」というような判定条件をあらかじめ決めておくことで行うことが可能である。
なお、ステップＳＴ２の判定処理の代わりに、「特殊クリックポイントＰＣＰを埋め込んだホームページのダウンロード要求」、または「ダウンロード後にクライアント側で特殊クリックポイントＰＣＰをホームページへ埋め込む形態のダウンロード要求」のどちらであるかについてダウンロード要求の形態をサーバ側またはクライアント側で手動で選択する構成を採用することも可能である。
【００１７】
この判定の結果、ダウンロード要求が「特殊クリックポイントＰＣＰをクライアント側でダウンロード後にホームページへ埋め込む形態のダウンロード要求」であると、図８に示すフローチャートへ進む。一方、「特殊クリックポイントＰＣＰを埋め込んだホームページのダウンロード要求」である場合には、続いて「条件下起動」であるか「通常起動」であるかの判定を行う（ステップＳＴ３）。この判定は、アクセスカウンタ１５の出力するアクセス回数積算値、日付け、時刻の例えば末尾数の下一桁の数字が特定の数字であるときには「条件下起動」、前記特定の数字以外の数字であるときには「通常起動」というような判定条件をあらかじめ決めておくことで判定するものとする。
なお、ステップＳＴ３の判定処理の代わりに、「条件下起動」であるか「通常起動」であるかについてサーバ側で手動で選択する構成であってもよい。
前記ステップＳＴ３の判定の結果が「条件下起動」であると図５に示すフローチャートへ進む。一方、「通常起動」である場合には、前記ダウンロード要求を行なったクライアント側の端末２へ通常のホームページファイル３２がダウンロードされる（ステップＳＴ４）。ここでは、ステップＳＴ２でその判定結果が「特殊クリックポイントＰＣＰを埋め込んだホームページのダウンロード要求」であり、またステップＳＴ３の判定結果は「通常起動」であり、クライアント側の端末２へダウンロードされた前記通常のホームページファイル３２によるホームページ画面の一例は図１２に示されるものとなる。
【００１８】
クライアント側の端末２の画面へ表示された図１２に示すホームページ画面は、一例として「モノものタウン」のホームページトップ画面である。このホームページトップ画面では、クライアント側が前記ホームページトップ画面の「総合案内」表示領域をクリックすると、図１３に示す「総合案内」画面が表示される。また、「お知らせボード」表示領域をクリックすると、図１４に示す「お知らせボード」画面を表示する。また、「ジッポセレクション」表示領域をクリックすると、前記ステップＳＴ２の判定結果が特殊クリックポイントＰＣＰ埋め込み後クライアント側へダウンロードされる形態であって、さらに前記ステップＳＴ３の判定結果が「通常起動」であるため、図１５に示す特殊クリックポイントＰＣＰが埋め込まれていない「ジッポセレクション」トップ画面を表示する（ステップＳＴ６）。
【００１９】
一方、ステップＳＴ５の判定結果が「条件下起動」であれば図２１に示す特殊クリックポイントＰＣＰが埋め込まれている「ジッポセレクション」トップ画面を表示する。この場合の「ジッポセレクション」表示領域がクリックされることで行われる「条件下起動」であるか「通常起動」であるかの判定は、前記ステップＳＴ３で説明した判定方法と同様、すなわち、アクセスカウンタ１５の出力するアクセス回数積算値、日付け、時刻の例えば末尾数の下一桁の数字が特定の数字であるときには「条件下起動」、前記特定の数字以外の数字であるときには「通常起動」というような判定条件をあらかじめ決めておくことで判定するものとする。
なお、クライアント側の端末２でこの「条件下起動」であるか「通常起動」であるかの判定を行うためにはサーバ４の主処理部制御手段１１や各種ファイルが前記クライアント側の端末２へダウンロードされていることが必要である。
【００２０】
そして、「通常起動」である場合に表示される図１５に示す「ジッポセレクション」トップ画面に対しクライアント側で「お知らせ」表示領域をクリックすると、図１６に示す「ジッポセレクションお知らせ」画面を表示する（ステップＳＴ７）。また、「掲示板」表示領域をクリックすると、図１７に示す「掲示板」画面を表示する（ステップＳＴ８）。また、「商品一覧」表示領域をクリックすると、図１８に示す「商品一覧」画面を表示する（ステップＳＴ９）。また、前記「商品一覧」画面において「商品注文」表示領域をクリックすると、図１９に示す「商品注文」画面を表示する（ステップＳＴ１０）。そして、前記「商品注文」画面において「メール注文」または「ＦＡＸ注文」の何れかの選択をクライアント側へ促す「注文受付け」画面を表示する（ステップＳＴ１１）。
【００２１】
図４は、図３に示すステップＳＴ３の判定結果が「通常起動」である場合のステップＳＴ４，ステップＳＴ６，ステップＳＴ７，ステップＳＴ８，ステップＳＴ９，ステップＳＴ１０，ステップＳＴ１１の各処理による画面遷移図である。
【００２２】
次に、この実施の形態のホームページ情報供給方法における図３のステップＳＴ２のダウンロード要求についての判定結果が「特殊クリックポイントＰＣＰを埋め込んだホームページのダウンロード要求」であり、続くステップＳＴ３の判定結果が「条件下起動」である場合のホームページ画面の表示、ホームページ情報の供給、およびそのホームページの構造について説明する。
前記図３で説明したフローチャートのステップＳＴ３の判定処理において「条件下起動」であると図５に示すフローチャートへ移行する。すなわち、この場合には、図２０に示す特殊クリックポイントＰＣＰが埋め込まれている「モノものタウン」トップ画面のホームページトップ画面ファイルを含む各種ホームページファイルなどがサーバ４からクライアント側の端末２へダウンロードされ、図２０に示す「モノものタウン」トップ画面が表示される（ステップＳＴ２１）。
【００２３】
この図２０に示す「モノものタウン」トップ画面は、通常のホームページファイルによるホームページ画面、すなわち、図１２に示す「モノものタウン」のホームページトップ画面に対し、アクセスカウンタ１５のアクセス回数積算値、日付け、時刻などの末尾数をトリガにして、特殊クリックポイントＰＣＰの配置を決める複数のＰＣＰ配置パターンファイル１４の中から前記末尾数に対応したＰＣＰ配置パターンファイルを選択し、前記選択したＰＣＰ配置パターンファイルにより特殊クリックポイントＰＣＰを埋め込んだ末尾数対応ＰＣＰ埋込み画面である。あるいは、図１２に示す「モノものタウン」のホームページトップ画面に対し、計算ロジック２６が関与して選択したＰＣＰ配置パターンファイル１４により特殊クリックポイントＰＣＰが埋め込まれた計算ロジック関与ＰＣＰ埋込み画面である。あるいは、図１２に示す「モノものタウン」のホームページトップ画面に対し、ランダム配置ロジック２７により特殊クリックポイントＰＣＰの配置がランダムに埋め込まれたランダムＰＣＰ埋込み画面である。
なお、前記末尾数対応ＰＣＰ埋込み画面、および前記計算ロジック関与ＰＣＰ埋込み画面では、ＰＣＰ配置パターンファイル１４を使用する場合のみリンク先のファイルは固定的にあらかじめ決められたものであり、前記特殊クリックポイントＰＣＰに前記リンク先のファイルが関連付けられている。
また、ランダムＰＣＰ埋込み画面では、リンク先のファイルについてもランダムに選択されており、前記ランダムに埋め込まれた特殊クリックポイントＰＣＰに前記ランダムに選択されたリンク先のファイルが関連付けられている。
【００２４】
ここで、図１２に示す「モノものタウン」のホームページトップ画面に対する特殊クリックポイントＰＣＰの埋め込みについて図６および図７を参照して説明を行う。図６は、図３のフローチャートに示すステップＳＴ２の判定結果が「特殊クリックポイントＰＣＰを埋め込んだホームページのダウンロード要求」であって、ステップＳＴ３の判定結果が「条件下起動」である場合の通常のホームページに対する特殊クリックポイントＰＣＰの埋め込みについての説明図である。図１２に示す「モノものタウン」のホームページトップ画面に対する特殊クリックポイントＰＣＰの埋め込みは、図６に示すように、クライアント側からのダウンロード要求について、先ず、アクセスカウンタ１５のアクセス回数積算値、日付け、時刻などの末尾数を決定し、「条件下起動」の判定を実行し、前記末尾数をトリガにして通常のホームページへ埋め込む特殊クリックポイントＰＣＰのＰＣＰ配置パターンファイル１４やＰＣＰリンク先ファイル１３を決定する。なお、特殊クリックポイントＰＣＰやＰＣＰリンク先ファイルのランダム配置の場合には、計算ロジック２６、ランダム配置ロジック２７によりＰＣＰ配置ファイルを生成する。そして、前記決定したＰＣＰ配置パターンファイル、または前記生成したＰＣＰ配置ファイルによる特殊クリックポイントＰＣＰの配置で特殊クリックポイントＰＣＰを通常のホームページファイル３２へ埋め込んだファイルを作成し、前記特殊クリックポイントＰＣＰやＰＣＰリンク先ファイルなどのホームページ情報が前記トリガに応じて異なるように配置された「モノものタウン」のホームページトップ画面のファイルをクライアント側の端末２へダウンロードする。
この結果、クライアント側の端末２には特殊クリックポイントＰＣＰが配置された図２０に示す画面が表示される。
なお、「条件下起動」の実行は任意のタイミングにおける手動で行うことも出来る。
【００２５】
図５に戻り、ステップＳＴ２１の次に前記ダウンロードにより表示された前記図２０に示す画面に対しクライアント側で行われるクリックについて、「通常クリック」か「ＰＣＰクリック」かを判定する（ステップＳＴ２２）。
「通常クリック」とは、領域や位置が視認でき、位置が変わったりして特殊クリックポイントＰＣＰが埋め込まれていることもない通常のクリック領域のクリックであり、前記クリックすることにより得られる動作の内容が明示されているクリックである。また「ＰＣＰクリック」とは、位置、存在が視認できないクリック領域（ＢＣＰ，ブラインドクリックポイント）に対するクリック、あるいは存在していることは確認できるがクリックした際に得られるメニューや動作（情報内容）について事前には確認できないクリック領域（ＵＣＰ，ユニーククリックポイント）、あるいは位置や存在は視認でき、かつクリックした際に得られるメニューや動作（情報内容）についても事前に確認できるが、付帯するゲームエンジンの働きにより動作結果が一定でないクリック領域「インタレストクリックポイントＩＣＰ」に対するクリック、あるいは位置や存在は視認でき、かつクリックした際に得られるメニューや動作（情報内容）についても事前に確認できるクリック領域であるが「条件下」でのみ随所に位置が変わって埋め込まれるクリックポイント「エキストラクリックポイントＥＣＰ」に対するクリックである。
【００２６】
ステップＳＴ２２の判定結果が「通常クリック」である場合、すなわちクライアント側で通常のクリック領域に対しクリックが行われると、図２０に示す「モノものタウン」トップ画面に埋め込まれている特殊クリックポイントＰＣＰを消す。そして、前記クリックされた通常のクリック領域が「総合案内」についてのクリック領域であれば図１３に示す画面を表示する。また、前記クリックされた通常のクリック領域がコンテンツ「ジッポセレクション」であれば図２１に示す「ジッポセレクション」の画面を表示する（ステップＳＴ２３）。
【００２７】
この「ジッポセレクション」のトップ画面には特殊クリックポイントＰＣＰが埋め込まれている場合があり、図２１に示す「ジッポセレクション」のトップ画面は、特殊クリックポイントＰＣＰが配置されている画面を示している。そして、この図２１に示すトップ画面に対してもクライアント側が行なったクリックが「通常クリック」か「ＰＣＰクリック」かを判定する（ステップＳＴ２４）。そして、「通常クリック」であれば、埋め込まれている特殊クリックポイントＰＣＰを消して、図２１に示す特殊クリックポイントＰＣＰが埋め込まれている「ジッポセレクション」のトップ画面に代えて、図１５から図１９までに示す特殊クリックポイントＰＣＰが埋め込まれていない通常の「ジッポセレクション」の画面を表示する。
【００２８】
一方、ステップＳＴ２４における判定結果が「ＰＣＰクリック」であれば、そのＰＣＰクリックが空の特殊クリックポイントＰＣＰのクリックであるか、バナー広告についての特殊クリックポイントＰＣＰであるか、さらには簡単なゲームについての特殊クリックポイントＰＣＰであるか、確変バナー広告ゲームについての特殊クリックポイントＰＣＰであるか、さらには懸賞クイズについての特殊クリックポイントＰＣＰであるかに応じて、空の特殊クリックポイントＰＣＰのクリックであれば埋め込み無効処理が働いて特殊クリックポイントＰＣＰを消した図３に示す図１５の「ジッポセレクション」のトップ画面を表示する。また、バナー広告についての特殊クリックポイントＰＣＰのクリックであれば、図２２に一例として示すようなバナー広告画面を表示する（ステップＳＴ２５）。また、簡単なゲームについての特殊クリックポイントＰＣＰのクリックであれば、図２３に一例として示すような簡単ゲーム画面を表示する（ステップＳＴ２６）。また、確変バナー広告ゲームについての特殊クリックポイントＰＣＰのクリックであれば、確変バナー広告ゲーム画面を表示する（ステップＳＴ３１）。また、懸賞クイズについての特殊クリックポイントＰＣＰのクリックであれば、懸賞クイズ画面を表示する（ステップＳＴ３２）。図２３に示す画面は、「“同じものを引き当てると当たり”であるカードゲーム」を示す。
【００２９】
一方、ステップＳＴ２２の判定結果が「ＰＣＰクリック」である場合、すなわちクライアント側で図２０の「モノものタウン」トップ画面の特殊クリックポイントＰＣＰに対しクリックが行われると、そのＰＣＰクリックが空の特殊クリックポイントＰＣＰのクリックであるか、バナー広告についての特殊クリックポイントＰＣＰであるか、簡単なゲームについての特殊クリックポイントＰＣＰであるか、確変バナー広告ゲームについての特殊クリックポイントＰＣＰであるか、さらには懸賞クイズについての特殊クリックポイントＰＣＰであるかに応じて、空の特殊クリックポイントＰＣＰのクリックであれば特殊クリックポイントＰＣＰを消した図３のステップＳＴ４に示す図１２の「モノものタウン」のホームページトップ画面を表示する。また、バナー広告についての特殊クリックポイントＰＣＰのクリックであれば、図２２に一例として示すようなバナー広告画面を表示する（ステップＳＴ２７）。また、簡単なゲームについての特殊クリックポイントＰＣＰのクリックであれば、図２３に一例として示すような簡単ゲーム画面を表示する（ステップＳＴ２８）。また、確変バナー広告ゲームについての特殊クリックポイントＰＣＰのクリックであれば、確変バナー広告ゲーム画面を表示する（ステップＳＴ３５）。また、懸賞クイズについての特殊クリックポイントＰＣＰのクリックであれば、懸賞クイズ画面を表示する（ステップＳＴ３６）。ここで、前記確変バナー広告ゲームは、インタレストクリックポイントＩＣＰに付帯してゲームエンジン３３とともに埋め込まれダウンロードされる。そして、この確変バナー広告ゲームは、例えば、分割された画面の絵柄がそれぞれ回転しており、ゲームエンジン３３であるロジックが関与して前記各画面の絵柄を選択し、その選択された結果が特定の組み合わせである場合に限り「当たり」、前記特定の組み合わせ以外の組み合わせである場合には「はずれ」とするゲームである。なお、この場合、前記ロジックが関与して「当たり」についての確率を変化させることが出来る。
このバナー広告画面の表示後、または簡単ゲーム画面の表示後、または確変バナー広告ゲーム画面の表示後、または懸賞クイズ画面の表示後は、特殊クリックポイントＰＣＰを消した図３のステップＳＴ４に示す図１２の「モノものタウン」のホームページトップ画面を表示する。
【００３０】
図７は、クライアント側の端末２へダウンロードされた、図２０の特殊クリックポイントＰＣＰやＰＣＰリンク先ファイルなどのホームページ情報が埋め込まれている「モノものタウン」のホームページトップ画面、および図２１の特殊クリックポイントＰＣＰやＰＣＰリンク先ファイルなどのホームページ情報が埋め込まれている「ジッポセレクション」トップ画面がクリックされるとどの画面へ遷移するかを示す画面遷移図である。
【００３１】
次に、前記図３で説明したフローチャートのステップＳＴ２の判定処理において、ダウンロード要求が「ダウンロード後にクライアント側で特殊クリックポイントＰＣＰをホームページへ埋め込む形態のダウンロード要求」である場合に移行する図８に示すフローチャートについて説明する。
すなわち、ダウンロード後にクライアント側で特殊クリックポイントＰＣＰをホームページへ埋め込む形態のダウンロード要求があると、サーバ４はクライアント側の前記ダウンロード要求を発した端末２へ、アクセスカウンタ１５のアクセス回数積算値、日付け、時刻などの末尾数、計算ロジック２６、ランダム配置ロジック２７および主処理部制御手段１１などのファイル群と、通常ホームページファイル３２を含む各種ホームページファイルと、ＰＣＰ配置パターンファイル１４、ゲームエンジン３３をダウンロードする。そして、クライアント側の前記端末２には、図１２に示す通常ホームページ画面が表示される（ステップＳＴ１１）。この通常ホームページ画面に対しクライアント側で最初のクリックを行うと、前記ダウンロードされた主制御部が前記クライアント側の端末２において末尾数抽出機能２２により抽出された末尾数の判定を行う（ステップＳＴ１２）。そして、前記判定結果に応じて「通常起動」または「条件下起動」を決める。この「通常起動」または「条件下起動」を決める判定条件は例えば図３のステップＳＴ３と同様の条件とすることが出来る。
この結果、「通常起動」である場合には、図３のステップＳＴ４で説明した図１２に示す通常のホームページ画面を表示し、図３のステップＳＴ４以降の各ステップによる図１３から図１９までの画面表示が可能になる。
【００３２】
一方、図８のステップＳＴ１２の判定結果が「条件下起動」である場合には、前記ステップＳＴ１１における図１２に示す「モノものタウン」のホームページトップ画面に対し、アクセスカウンタ１５のアクセス回数積算値、日付け、時刻などの末尾数をトリガにして選択されたＰＣＰ配置パターンファイル１４により特殊クリックポイントＰＣＰを埋め込み、あるいは、計算ロジック２６が関与して選択したＰＣＰ配置パターンファイル１４により特殊クリックポイントＰＣＰを埋め込み、あるいはまた、ランダム配置ロジック２７により特殊クリックポイントＰＣＰのランダム配置が実行された、特殊クリックポイントＰＣＰがランダムに埋め込まれた図２０に示す画面を表示する。
【００３３】
この特殊クリックポイントＰＣＰの埋め込みや配置はクライアント側へ前記ダウンロードが行なわれた後にそのクライアント側で実行される。ステップＳＴ１２の判定結果が「条件下起動」であると、続いて図５のステップＳＴ２１へ進み、前記図２０に示す特殊クリックポイントＰＣＰが配置された「モノものタウン」トップ画面を表示する。
【００３４】
図８のフローチャートに示すステップＳＴ１２から図５に示すフローチャートのステップＳＴ２１へ進んだ場合には、続くステップＳＴ２２以下の処理は図５で説明したステップＳＴ２１以下の説明と同様である。
【００３５】
図９は、ダウンロード後にクライアント側で特殊クリックポイントＰＣＰが埋め込まれたホームページを作成する場合のサーバ４からクライアント側の端末２へ送られる送受信データについての説明図、図１０は、サーバ４からクライアント側の端末２へ特殊クリックポイントＰＣＰの埋め込み機能がダウンロードされることを示す説明図、図１１は画面遷移図である。
【００３６】
図９において、３５は商品情報、お知らせ情報、広告情報などのファイルを示し、３６はキャラクタアイコンなどのデータを示し、３７はゲーム情報、クイズ情報、広告情報などのリンク先ファイルを示し、３３はゲームエンジンを示す。
【００３７】
次に、特殊クリックポイントＰＣＰの位置をクライアント側のアクセスごとに変化させ、リンク先のファイルについてもランダムに選択して埋め込むための手法と、ＰＣＰ配置パターンの構成および決定について説明する。
先ず、最初に特殊クリックポイントＰＣＰの位置をクライアント側のアクセスごとに変化させる第１の手法について説明する。この第１の手法は、複数の特殊クリックポイントＰＣＰが配置されている複数のＰＣＰ配置パターンがあらかじめファイルされており、各ＰＣＰ配置パターン中の特殊クリックポイントＰＣＰ位置は異なる個所に配置されている。アクセスカウンタの末尾数がトリガとなり前記末尾数にリンクしてＰＣＰ配置パターンの「１つが選択され、各特殊クリックポイントＰＣＰに割り当てられたメニュー（ファイル）とともに埋め込み先の通常のホームページへ埋め込まれるものである。例えば末尾数が３であれば３番目のＰＣＰ配置パターン、１であれば１番目のＰＣＰ配置パターンなどのように選択される。図２７および図２８はこの第１の手法を示す概念図である。
【００３８】
すなわち、特殊クリックポイントＰＣＰの配置されたＰＣＰ配置パターンをアクセスカウンタ１５のアクセス回数積算値、日付け、時刻などの末尾数に応じて一組決定する。このＰＣＰ配置パターンはあらかじめ用意されているＰＣＰ配置パターンファイル１４から決める。また、ここでいう一組とは特殊クリックポイントＰＣＰを配置する画面が、例えば「モノものトップ」画面と「ジッポセレクショントップ」画面の２画面であれば２画面分で一組とする。
なお、任意のタイミングにおいて手動でＰＣＰ配置パターンを決定することも出来る。
【００３９】
次に、第２の手法について説明する。
末尾数抽出機能２２によりアクセスカウンタ１５のアクセス回数積算値、日付け、時刻などの末尾数を抽出し、この抽出した末尾数を“ｎ”とする。そして、ランダム数から整数ｉを求める。この整数ｉの算出は、例えば乱数生成手段によりランダム数（一様乱数）を発生させ、この発生ランダム数を“ｒ”（０≦ｒ＜１）とするとき、
０．０≦ｒ＜０．１→ｉ＝０
０．１≦ｒ＜０．２→ｉ＝１
０．２≦ｒ＜０．３→ｉ＝２
・
０．８≦ｒ＜０．９→ｉ＝８
０．９≦ｒ＜１．０→ｉ＝９
なる規則で整数ｉを算出する。
なお、整数が０から１９の場合には０．０５間隔とし、整数が２桁（０から９９）の場合には０．０１間隔とする。
【００４０】
次に、この第２の手法において前記末尾数から計算ロジック２６が関与してＰＣＰ配置パターンを選択して構成する計算ロジック関与ＰＣＰ埋込み画面について記述する。
この第２の手法は、アクセスカウンタ１５のアクセス回数積算値、日付け、時刻などの末尾数がトリガとなり計算ロジック２６が起動しアルゴリズムが関与してＰＣＰ配置パターンを選択し、埋め込み先の通常のホームページへ特殊クリックポイントＰＣＰを埋め込むものであり、図２９はこの第２の手法を示す概念図である。
なお、任意のタイミングにおいて手動によりトリガを決定することも可能である。
【００４１】
すなわち、先ず、特殊クリックポイントＰＣＰの配置されたＰＣＰ配置パターンを複数組定める。そして、これらの組ごとにＰＣＰ配置パターン番号を付与する。例えば、１０組のＰＣＰ配置パターンを定め、０から９のパターン番号を各ＰＣＰ配置パターンに付与する。そして、前記抽出した末尾数を“ｎ”とし、さらにランダム数から整数ｉを算出する。そして、前記抽出した末尾数“ｎ”が前記算出した整数ｉと等しい場合に「条件下起動」とし、また、さらにランダム数から整数“ｊ”を算出し、前記整数“ｊ”をパターン番号とするＰＣＰ配置パターンの組を選択する。さらに特殊クリックポイントＰＣＰ配置パターンを配置する画面数分、以上の処理を繰り返す。
また、前記抽出した末尾数“ｎ”が前記算出した整数ｉと等しくない場合には、「通常起動」であってＰＣＰ配置パターンは埋め込まない。
【００４２】
次に、前記抽出した末尾数からランダム配置ロジック２７が関与してランダムに特殊クリックポイントＰＣＰを同一位置を含む随所に配置し、かつ、リンク先のファイルもランダムに選択するランダムＰＣＰ埋込み画面を構成する第３の手法について説明する。
この第３の手法は、アクセスカウンタ１５のアクセス回数積算値、日付け、時刻などの末尾数がトリガとなり、ランダム配置ロジック２７が関与して埋め込み先の通常のホームページへランダムに特殊クリックポイントＰＣＰを埋め込み、かつリンク先のファイルもランダムに選択して埋め込むものであり、図３０はこの第３の手法を示す概念図である。
【００４３】
すなわち、先ず、特殊クリックポイントＰＣＰの埋め込み先のホームページ画面について行方向を整数ｋに分割し、また、列方向について整数ｍに分割し、前記埋め込み先のホームページ画面をｋ（行番号）×ｍ（列番号）のセルに分割し、各セルを（ｋ，ｍ）で表す。そして、前記ｋ×ｍ個のセルからランダムに複数個のセルを選択し、前記選択したセルに特殊クリックポイントＰＣＰを配置する。
次に、リンク先ファイルを複数用意してランダムに選択する（複数用意するリンク先ファイルにはリンク先ファイル番号を付与する）。そして、前記抽出した末尾数を“ｎ”とし、さらにランダム数ｉを算出する。そして、前記抽出した末尾数“ｎ”が前記算出した整数ｉと等しい場合に「条件下起動」とし、また、ランダム数より整数ｋ，ｍを求め埋め込み先セル（ｋ，ｍ）を決定し、さらにランダム数より整数ｆを求め、その整数ｆをリンク先ファイル番号とし、リンク先ファイルを選択する。
以下、配置する特殊クリックポイントＰＣＰの数だけセルの選択と特殊クリックポイントＰＣＰの配置、リンク先ファイルの選択を繰り返し、ランダム配置のＰＣＰ配置位置を生成する。
そして、特殊クリックポイントＰＣＰを配置する画面数分、以上の処理を繰り返す。
また、前記抽出した末尾数“ｎ”が前記算出した整数ｉと等しくない場合には、「通常起動」であってＰＣＰは埋め込まない。
【００４４】
次に、ＰＣＰ配置ファイルの構成について説明する。
ＰＣＰ配置ファイルは、埋め込み位置情報とグラフィックファイル名とジャンプ先リンク情報の３要素からなる。図２４は特殊クリックポイントＰＣＰの埋め込み先のホームページをセル分割し、行番号ｋと列番号ｍで表す埋め込み位置情報を示す説明図である。
また、グラフィックファイル名については、例えば、セル（ｉ，ｊ）に対応するＰＣＰグラフィックファイル名を“Ｇｒａｐｈ＿ｉｊ．ｊｐｇ”と表すと図２５に示すような関係となる。すなわち、“Ｇｒａｐｈ＿ｉｊ．ｊｐｇ”は、埋め込み先ホームページの対応するセル（ｉ，ｊ）の背景色と同色、同サイズのＢＣＰ（位置、存在が視認できないクリック領域、ブラインドクリックポイント）グラフィックファイルのファイル名であり、“Ｇｒａｐｈ＿ｉｍ．ｊｐｇ”は、埋め込み先ホームページの対応するセル（ｉ，ｍ）に、同サイズ視認可能な抽象的図形（例えば☆、＄）が配置されているユニーククリックポイントＵＣＰ（存在していることは確認できるがクリックした際に得られるメニューや動作について事前には確認できないクリック領域）、前記インタレストクリックポイントＩＣＰ、エキストラクリックポイントＥＣＰのグラフィックファイルのファイル名である。
また、ジャンプ先リンク情報は、埋め込まれた特殊クリックポイントＰＣＰをクリックしたときのジャンプ先または移動先を示すリンク情報（リンク先ファイル）であり、これらのファイルもランダムに選択する。例えば、セル（ｉ，ｊ）をクリックしたときに表示する画面を“モノもの＿ｉｊ．ｈｔｍｌ”とすると、この“モノもの＿ｉｊ．ｈｔｍｌ”がリンク情報となる。図２６は、セル（ｉ，ｊ）およびセル（ｉ，ｍ）の２つのセルに特殊クリックポイントＰＣＰが埋め込まれている場合のＰＣＰ配置ファイルの構成例を示す。
【００４５】
図３１は、前記ＢＣＰ（ブラインドクリックポイント）グラフィックファイル、前記ユニーククリックポイントＵＣＰ、前記インタレストクリックポイントＩＣＰ、前記エキストラクリックポイントＥＣＰのグラフィックファイルを通常のホームページへ重ねたときのブラインド状態、抽象的図形等ＰＣＰ埋め込み状態を示す説明図である。また、図３１は位置、存在が視認できないクリック領域（ブラインドクリックポイントＢＣＰ）、存在していることは確認できるがクリックした際に得られるメニューや動作（情報内容）について事前には確認できないクリック領域（ユニーククリックポイントＵＣＰ）、前記インタレストクリックポイントＩＣＰ、前記エキストラクリックポイントＥＣＰなどの特殊クリックポイントＰＣＰとともに埋め込まれるファイルの関係を示す概念図である。図３２は、特殊クリックポイントＰＣＰとともに埋め込まれるファイル（メニュー）の関連を示す説明図、図３３は、ダウンロード後でも特殊クリックポイントＰＣＰが埋め込まれたファイルを作成することを示す説明図である。なお、図３３において符号４１は、通常クリックポイントをクリックしたときに特殊クリックポイントＰＣＰを消し無効にするための特殊クリックポイントＰＣＰ無効処理手段である。
【００４６】
以上のように、この実施の形態によれば、クライアント側では通常のホームページファイルが提供されるだけでなく、特定の条件下において前記通常のホームページに特殊クリックポイントＰＣＰが埋め込まれたホームページファイルが提供されるため、必ずしも同一内容のホームページがクライアント側に提供されることにはならず、ホームページへアクセスするクライアント側に対し常に意外性や新鮮な感覚を与え、興味を喚起できるホームページ情報供給方法および装置が得られる効果がある。
また、視認できないブラインドクリックポイント、存在していることは確認できるがクリックした際に得られるメニューや動作について事前には確認できないユニーククリックポイントＵＣＰ、前記インタレストクリックポイントＩＣＰ、前記エキストラクリックポイントＥＣＰが付加されたホームページがクライアント側に提供されることになり、さらに前記ブラインドクリックポイントＢＣＰ、ユニーククリックポイントＵＣＰ、インタレストクリックポイントＩＣＰ、エキストラクリックポイントＥＣＰは位置や内容がアクセスのたびにランダムに変化することになるため、ホームページへアクセスするクライアント側に対し常に意外性や新鮮な感覚を与え、興味を喚起できるホームページ情報供給方法および装置が得られる効果がある。
【００４７】
【発明の効果】
以上のように、この発明によれば、クライアント側からダウンロード要求のあったホームページを前記クライアント側へ供給するサーバ装置であって、前記クライアント側からのダウンロード要求時に所定の条件下でのトリガを読み取るトリガ読取り手段と、前記トリガ読取り手段が読み取った前記トリガをもとに、通常形態の基本ホームページ上のランダムな位置に配置する特殊クリックポイントの配置を規定する特殊クリックポイント配置ファイル生成手段と、  前記特殊クリックポイント配置ファイル生成手段により配置が規定された特殊クリックポイントを、通常形態の基本ホームページの画面上に表示する時、通常形態の基本ホームページに対し特殊クリックポイントが上面に重なるよう表示する制御情報を生成する特殊クリックポイント埋込み手段と、前記特殊クリックポイント埋込み手段の出力情報を前記クライアント側へ供給するホームページ情報供給手段とを備え、クライアント側において、特殊クリックポイントを通常形態の基本ホームページ画面上に表示する時に、通常形態の基本ホームページ画面上のランダムな位置に特殊クリックポイントを重ねて表示し、前記クライアント側からのダウンロード要求のたびに特殊クリックポイントの配置が異なることによりホームページの構成内容が異なるサーバ装置としたので、特殊クリックポイントが埋め込まれているホームページをクライアント側へ提供することが出来、さらに前記ホームページ上の前記特殊クリックポイントの位置は前記ダウンロード要求時の所定の条件をもとに変化するため、アクセスするホームページに対しクライアント側は常に新鮮な感覚を持つことが出来、アクセスしたホームページに対し飽きることがなく興味を持続できる効果がある。
【図面の簡単な説明】
【図１】この発明の実施の形態１のホームページ情報供給方法が適用されるネットワーク構成図である。
【図２】この発明の実施の形態１のホームページ情報供給方法を実現するサーバの構成を示す機能ブロック図である。
【図３】この発明の実施の形態１のホームページ情報供給方法を実現する際のサーバの動作およびクライアント側の画面遷移を含む動作を示すフローチャートである。
【図４】この発明の実施の形態１の図３に示すステップＳＴ４からステップＳＴ１１までの各ステップにおける画面遷移図である。
【図５】この発明の実施の形態１における図３のステップＳＴ３の判定処理において「条件下起動」である場合に続くフローチャートである。
【図６】この発明の実施の形態１における通常のホームページに対する特殊クリックポイントの埋め込みについての説明図である。
【図７】この発明の実施の形態１における図２０の「モノものタウン」のホームページトップ画面、および図２１の「ジッポセレクション」トップ画面がクリックされるとどの画面へ遷移するかを示す画面遷移図である。
【図８】この発明の実施の形態１においてダウンロード要求が「ダウンロード後にクライアント側で特殊クリックポイントＰＣＰをホームページへ埋め込む形態のダウンロード要求」である場合に移行するフローチャートである。
【図９】この発明の実施の形態１においてサーバからクライアント側へ送られる送受信データについての説明図である。
【図１０】この発明の実施の形態１においてサーバからクライアント側へ特殊クリックポイントＰＣＰの埋め込み機能がダウンロードされることを示す説明図である。
【図１１】この発明の実施の形態１においてダウンロード後にクライアント側で特殊クリックポイントを埋め込む場合の画面遷移図である。
【図１２】この発明の実施の形態１においてクライアント側で表示される通常ホームページのトップ画面である。
【図１３】この発明の実施の形態１においてクライアント側で表示される通常ホームページの総合案内画面である。
【図１４】この発明の実施の形態１においてクライアント側で表示されるお知らせ画面である。
【図１５】この発明の実施の形態１においてクライアント側で表示されるジッポセレクショントップ画面である。
【図１６】この発明の実施の形態１においてクライアント側で表示されるジッポセレクションお知らせ画面である。
【図１７】この発明の実施の形態１においてクライアント側で表示されるジッポセレクション掲示板画面である。
【図１８】この発明の実施の形態１においてクライアント側で表示されるジッポセレクション商品一覧画面である。
【図１９】この発明の実施の形態１においてクライアント側で表示されるジッポセレクション商品注文画面である。
【図２０】この発明の実施の形態１による「モノものタウン」トップ画面における特殊クリックポイントの配置図である。
【図２１】この発明の実施の形態１における特殊クリックポイントが埋め込まれている「ジッポセレクション」トップ画面である。
【図２２】この発明の実施の形態１におけるバナー広告画面の一例を示す画面図である。
【図２３】この発明の実施の形態１における簡単ゲーム画面の一例を示す画面図である。
【図２４】この発明の実施の形態１において特殊クリックポイントの埋め込み先のホームページをセル分割して行番号と列番号で表す埋め込み位置情報を示す説明図である。
【図２５】この発明の実施の形態１においてセル（ｉ，ｊ）に対応する特殊クリックポイントのグラフィックファイル名の関係を示す説明図である。
【図２６】この発明の実施の形態１における２つのセルに特殊クリックポイントが埋め込まれている場合の特殊クリックポイント配置ファイルの構成例を示す説明図である。
【図２７】この発明の実施の形態１において特殊クリックポイントの位置をクライアント側のアクセスごとに変化させる第１の手法についての概念図である。
【図２８】この発明の実施の形態１において特殊クリックポイントの位置をクライアント側のアクセスごとに変化させる第１の手法についての概念図である。
【図２９】この発明の実施の形態１において末尾数がトリガとなり計算ロジックが起動しＰＣＰ配置パターンを選択し通常のホームページへ特殊クリックポイントを埋め込む第２の手法を示す概念図である。
【図３０】この発明の実施の形態１において末尾数からランダム配置ロジックが関与してランダムに特殊クリックポイントを配置し、かつ、リンク先のファイルもランダムに選択する第３の手法を示す概念図である。
【図３１】この発明の実施の形態１においてＢＣＰグラフィックファイル、ＵＣＰグラフィックファイル、ＩＣＰグラフィックファイル、ＥＣＰグラフィックファイルを通常のホームページへ重ねる状態を示す概念図である。
【図３２】この発明の実施の形態１における特殊クリックポイントとともに埋め込まれるファイルの関係を示す説明図である。
【図３３】この発明の実施の形態１においてダウンロード後でも特殊クリックポイントが埋め込まれたファイルを作成することを示す説明図である。
【符号の説明】
２  クライアント側の端末
４  サーバ
１１  主処理部制御手段（ホームページ情報供給手段）
１２  入出力制御手段（ホームページ情報供給手段）
１５  アクセスカウンタ
２３  トリガ読取り機能（トリガ読取り手段）
２５  ＰＣＰ埋込み機能（ＰＣＰ埋込み手段）
【図１】
0003616022.tif 000002
【図２】
0003616022.tif 000003
【図３】
0003616022.tif 000004
【図４】
0003616022.tif 000005
【図５】
0003616022.tif 000006
【図６】
0003616022.tif 000007
【図７】
0003616022.tif 000008
【図８】
0003616022.tif 000009
【図９】
0003616022.tif 000010
【図１０】
0003616022.tif 000011
【図１１】
0003616022.tif 000012
【図１２】
0003616022.tif 000013
【図１３】
0003616022.tif 000014
【図１４】
0003616022.tif 000015
【図１５】
0003616022.tif 000016
【図１６】
0003616022.tif 000017
【図１７】
0003616022.tif 000018
【図１８】
0003616022.tif 000019
【図１９】
0003616022.tif 000020
【図２０】
0003616022.tif 000021
【図２１】
0003616022.tif 000022
【図２２】
0003616022.tif 000023
【図２３】
0003616022.tif 000024
【図２４】
0003616022.tif 000025
【図２５】
0003616022.tif 000026
【図２６】
0003616022.tif 000027
【図２７】
0003616022.tif 000028
【図２８】
0003616022.tif 000029
【図２９】
0003616022.tif 000030
【図３０】
0003616022.tif 000031
【図３１】
0003616022.tif 000032
【図３２】
0003616022.tif 000033
【図３３】
0003616022.tif 000034